(57)【要約】【課題】いかなる状態でも不用意に蓋開放つまみを操作し蓋体が開放するなどの誤操作を防止する電湯沸かし器を提供することを目的とする。【解決手段】蓋体６の閉時は、常に、開閉レバー１３が蓋開放つまみ１０の動作を規制する位置に付勢されている。これにより、いかなる状態でも不用意に蓋開放つまみ１０を操作し蓋体６が開放するなどの誤操作を防止できる。【選択図】図１
2005160922.tif 000002
【特許請求の範囲】
【請求項１】
外郭を構成するボデーと、前記ボデーの上部に載置した上枠と、前記上枠の中央開口部に載置した液体を収容する容器と、前記容器内の液体を加熱する加熱手段と、前記容器の上方開口部を覆い、前記上枠に回動自在でかつ常に開方向に付勢されている蓋体と、前記上枠と係合して前記蓋体を閉とするロックレバーと、前記ロックレバーを操作して上枠と蓋体との係合を解除する蓋開放つまみと、前記蓋開放つまみによるロックレバーの係合解除を規制する蓋体に設けた開閉レバーとを備え、前記開閉レバーは常に前記ロックレバーの係合解除を規制する位置に付勢した電気湯沸かし器。
【請求項２】
開閉レバーは、ロックレバーの規制解除の操作時に蓋体と係合されて蓋体の開放を可能とし、前記蓋体の閉時には前記係合が解除されロックレバーの係合解除を規制する位置に復帰する構成とした請求項１に記載の電気湯沸かし器。
【請求項３】
開閉レバーは、その一部に突起部を設け、前記突起部は蓋体の閉時に上枠と当接して開閉レバーをロックレバーの係合解除を規制する位置に復帰する構成とした請求項２に記載の電気湯沸かし器。
【請求項４】
ロックレバーの規制解除の操作時に蓋体と係合される開閉レバーと対峙して上枠に凸部を設け、蓋体の閉時に開閉レバーを前記凸部と当接して開閉レバーをロックレバーの係合解除を規制する位置に復帰する構成とした請求項２に記載の電気湯沸かし器。
【発明の詳細な説明】
【技術分野】
【０００１】
本発明は、液体を収容した容器の上方開口部を覆って回動自在に蓋体を設けた電気湯沸かし器に関するものである。
【背景技術】
【０００２】
従来、この種の電気湯沸かし器において、蓋体を閉時から開放させるには、まず、蓋体に設けた安全確保のための開閉レバーを移動させて蓋開放つまみの規制を解除させ、その後、蓋開放つまみを操作してロックを解除し、蓋体を開放させるものである。さらに、蓋体を開放状態から閉じた時点で、再度、開閉レバーを移動させて蓋開放つまみが不用意に操作されないようにその操作を規制する元の位置に移動させるものであった（例えば、特許文献１参照）。
【特許文献１】特開平３−１４０１２６号公報
【発明の開示】
【発明が解決しようとする課題】
【０００３】
しかしながら、上記従来の構成では、使用者が蓋体を開放させる場合は、開閉レバーを蓋開放つまみの規制解除側に操作しないと蓋体が開かないため操作を行うが、蓋体を閉じた後には開閉レバーの操作を忘れ、蓋開放つまみの操作が規制されない状態になる可能性がある。その場合、不用意に蓋開放つまみに触れれば、蓋体が誤って開放するという課題があった。
【０００４】
本発明は、前記従来の課題を解決するもので、いかなる状態でも不用意に蓋開放つまみを操作し蓋体が開放するなどの誤操作を防止する電気湯沸かし器を提供することを目的とする。
【課題を解決するための手段】
【０００５】
前記従来の課題を解決するために、本発明の電気湯沸かし器は、開閉レバーを常にロックレバーの係合解除を規制する位置に付勢し、蓋開放つまみを規制したものである。
【０００６】
これにより、蓋体を閉じれば、開閉レバーが自動的に蓋開放つまみの操作を規制する位置に移動し、いかなる状態でも不用意に蓋開放つまみを操作し蓋体が開放するなどの誤操作を防止することができる。
【発明の効果】
【０００７】
本発明の電気湯沸かし器は、蓋体を閉めたときに開閉レバーを蓋開放つまみの操作を規制する位置に自動的に移動させ、いかなる状態でも不用意に蓋開放つまみを操作し蓋体が開放するなどの誤操作が防止できる。
【発明を実施するための最良の形態】
【０００８】
第１の発明は、外郭を構成するボデーと、前記ボデーの上部に載置した上枠と、前記上枠の中央開口部に載置した液体を収容する容器と、前記容器内の液体を加熱する加熱手段と、前記容器の上方開口部を覆い、前記上枠に回動自在でかつ常に開方向に付勢されている蓋体と、前記上枠と係合して前記蓋体を閉とするロックレバーと、前記ロックレバーを操作して上枠と蓋体との係合を解除する蓋開放つまみと、前記蓋開放つまみによるロックレバーの係合解除を規制する蓋体に設けた開閉レバーとを備え、前記開閉レバーは常に前記ロックレバーの係合解除を規制する位置に付勢した電気湯沸かし器とすることにより、蓋体を閉じれば、開閉レバーが自動的に蓋開放つまみの操作を規制する位置に移動し、いかなる状態でも不用意に蓋開放つまみを操作し蓋体が開放するなどの誤操作を防止することができる。
【０００９】
第２の発明は、特に、第１の発明において、開閉レバーは、ロックレバーの規制解除の操作時に蓋体と係合されて蓋体の開放を可能とし、前記蓋体の閉時には前記係合が解除されロックレバーの係合解除を規制する位置に復帰する構成としたことにより、開閉レバーの復帰が自動的に容易に行えるものであり、蓋体の開放などの誤操作を防止することができる。
【００１０】
第３の発明は、特に、第２の発明において、開閉レバーは、その一部に突起部を設け、前記突起部は蓋体の閉時に上枠と当接して開閉レバーをロックレバーの係合解除を規制する位置に復帰する構成としたことにより、開閉レバーの突起部と上枠との当接で開閉レバーの復帰が自動的に容易に行えるものであり、蓋体の開放などの誤操作を防止することができる。
【００１１】
第４の発明は、特に、第２の発明において、ロックレバーの規制解除の操作時に蓋体と係合される開閉レバーと対峙して上枠に凸部を設け、蓋体の閉時に開閉レバーを前記凸部と当接して開閉レバーをロックレバーの係合解除を規制する位置に復帰する構成としたことにより、開閉レバーと上枠の凸部との当接で開閉レバーの復帰が自動的に容易に行えるものであり、蓋体の開放などの誤操作を防止することができる。
【００１２】
以下、本発明の実施の形態について、図面を参照しながら説明する。なお、この実施の形態によって本発明が限定されるものではない。
【００１３】
（実施の形態１）
図１〜図３は本発明の実施の形態１における電気湯沸かし器を示すものである。
【００１４】
図に示すように、本実施の形態における電気湯沸かし器は、外郭を構成するボデー１と、前記ボデー１上部に載置した上枠４と、前記上枠４の中央開口部に載置した液体２を収容する有底筒状の容器３と、容器３内の液体２を加熱する加熱手段５と、容器３の上方開口部を覆う蓋体６とを備えている。蓋体６は上枠４の後方に設けたヒンジ部４ａにより回動自在に固定されるものであり、上枠４に対し前方のロックレバー７が着脱自在に係合され蓋体を閉としている。蓋体６には上枠４の後方に設けたヒンジ部４ａに係合するヒンジピン８を設け、ヒンジピン８に装備し一方を蓋体６内部に固定しもう一方を上枠４に直接あるいは間接的に固定し常に蓋体６を開方向に付勢しているヒンジバネ９を設けている。ヒンジバネ９は蓋体６を容器３に対して閉塞すると荷重が増加し開放すると荷重が減少するものである。
【００１５】
また、上枠４には上枠４のフック部４ｂとロックレバー７の係合部７ｂとの係合を解除する蓋開放つまみ１０を軸１０ｂにより回動自在に固定している。蓋開放つまみ１０はけり出し部１０ａがロックレバー７の押圧部７ａと対峙する位置にあり、さらに、つまみバネ１１により押圧部が上方に付勢されている。ロックレバー７はロックバネ１２によりフック部４ｂとの係合方向に付勢されており、本実施の形態においては機体前方に付勢されている。
【００１６】
さらに、蓋体６には蓋開放つまみ１０によるロックレバー７の上枠４との係合解除を規制する開閉レバー１３を設けており、この開閉レバー１３は常にロックレバー７の動作を規制する位置に開閉バネ１４により付勢されている。本実施例の形態においては、機体前方より見て開閉バネ１４により左方向に付勢されている。また、開閉レバー１３はその操作部１３ａをもって蓋体６の左右方向（図３の矢印方向）に操作することが可能であり、開閉バネ１４によるロックレバー７の動作を規制する位置では、規制部１３ｂがロックレバー７と当接しロックレバー７の動作を規制している。
【００１７】
上記構成の動作を説明する。蓋体６を開放する場合、外部操作により開閉バネ１４の付勢に抗して開閉レバー１３を開放方向に移動させる。本実施の形態においては機体前方より見て右方向に移動する。その後、蓋開放つまみ１０を外部操作により押圧操作させることでロックレバー７の係合部７ｂと上枠４のフック部４ｂとの係合を解除する。これは蓋開放つまみ１０を、軸１０ｂを中心として所定量回動させた場合に、けり出し部１０ａがロックレバー７の押圧部７ａを押し、ロックレバー７の係合部７ｂがフック部４ｂとの係合解除位置まで移動する。蓋体６は、ロックレバー７とフック部４ｂとの係合が解除されることで、ヒンジピン８を中心にして回動が自由になるため、ヒンジバネ９の作用により蓋体６が開放される。次に、開放状態から蓋体６を閉じればロックレバー７の係合部７ｂがフック部４ｂと係合し元に復帰する。この時、開閉レバー１３は開閉バネ１４によりロックレバー７の動作を規制する位置に自動的に移動している。したがって、不用意に蓋開放つまみ１０に触れても、蓋体６を誤って開放するということはない。
【００１８】
ここで、蓋開放つまみ１０は、本実施の形態では、鉛直下向きに押圧操作するが、上方や左右方向に動作させても同様の効果が得られるのであれば何ら問題はない。また、蓋開放つまみ１０は、上枠４に回動自在であればどのように取付けられていてもよく、回動だけでなく水平・鉛直などの直線的に摺動してもよい。また、上枠４にロックレバー７を設け、フック部４ｂを蓋体６に設けた構成としてもよい。また、ロックレバー７に押圧部７ａを設けているが、押圧部７ａはロックレバー７に対し係合した独立した別部材でもよく、この場合は開閉レバー１３により動作が規制されるのはロックレバー７か押圧部７ａのいずれか一方もしくは両方である。また、上枠４にヒンジピン８を設けてヒンジバネ９を取付けていてもよい。
【００１９】
なお、図からあきらかなように、本実施の形態における電気湯沸かし器は、容器３内の湯を必要とする際に、ポンプを駆動することにより、機体外へ吐出させることができるものであり、従来から知られている電気湯沸かし器と同様の機能をゆうしているものである。
【００２０】
（実施の形態２）
図４〜図６は、本発明の実施の形態２における電気湯沸かし器の開閉レバー関連構成を示すものである。実施の形態１と同一要素については同一符号を付して説明を省略する。
【００２１】
本実施の形態においては、開閉レバー１３は、ロックレバー７の規制解除の操作時に蓋体６と係合されて蓋体６の開放を可能とし、前記蓋体６の閉時には前記係合が解除されロックレバー７の係合解除を規制する位置に復帰する構成としたものである。
【００２２】
具体構成の例としては、開閉レバー１３は、ロックレバー７の規制解除の操作時、すなわち、図４から図５の状態時に、蓋体６に設けたロック部６ａと開閉レバー１３に設けた係合部１３ｃとが係合され、規制部１３ｂとロックレバー７との当接が外れて蓋体６の開放が可能となる。また、開閉レバー１３には、その一部に突起部１３ｄを設けており、この突起部１３ｄは蓋体６の閉時に上枠４と当接して、蓋体６のロック部６ａと開閉レバー１３の係合部１３ｃとの係合を外し、開閉レバー１３をロックレバー７の係合解除を規制する位置に復帰させる構成としている。なお、突起部１３ｄはできるだけ係合部１３ｃの近傍が望ましい。
【００２３】
上記構成の動作を説明する。蓋体６を開ける場合、外部操作により開閉バネ１４の付勢に抗して開閉レバー１３を開放方向に移動させる。本実施例の形態においては機体前方より見て右方向に移動する。開閉レバー１３は蓋体６の斜面６ｂを摺動し、所定の位置で斜面６ｂの端面に設けたロック部６ａと蓋開放つまみ１０に設けた係合部１３ｃが係合する。この時、開閉バネ１４は圧縮状態にある。
【００２４】
これにより、蓋開放つまみ１０は規制が解除され、外部操作によりロックレバー７の係合部７ｂと上枠４のフック部４ｂとの係合を解除する。ヒンジピン８を中心にして回動が自由になるため、ヒンジバネ１１の作用により蓋体６が自動的に開放される。蓋体６の閉時は、外部操作により蓋体６を上枠４に押し込むことでロックレバー７の係合部７ｂがフック部４ｂと係合し閉塞状態となる。この閉塞状態となる直前もしくはその後に、開閉レバー１３の突起部１３ｄが対峙している上枠４の一部に当接して押し上げられことで、蓋体６に設けたロック部６ａと開閉レバー１３に設けた係合部１３ｃの係合が解除され、開閉レバー１３は開閉バネ１４によりロックレバー７を規制する位置に自動的に容易に移動する。
【００２５】
また、蓋体６は容器３の開口部に対してパッキンなどの弾性体で覆っている。このため、突起部１３ｄが対峙している上枠４の一部に当接するのは閉蓋時に弾性体を強く圧縮した場合であり、通常の閉塞状態時の圧縮状態では突起部１３ｃは対峙している上枠４の一部には接触しないものである。
【００２６】
このように、蓋体６の閉時は、常に開閉レバー１３が蓋開放つまみ１０の動作を規制位置にあり、いかなる状態でも不用意に蓋開放つまみ１０を操作し蓋体６が開放するなどの誤操作を防止することができる。
【００２７】
（実施の形態３）
図７は、本発明の実施の形態３における電気湯沸かし器の開閉レバー関連構成を示すものである。実施の形態１と同一要素については同一符号を付して説明を省略する。
【００２８】
本実施の形態においては、ロックレバー７の規制解除の操作時に蓋体６と係合される開閉レバー１３と対峙して上枠４に凸部４ｃを設け、蓋体６の閉時に開閉レバー１３を前記凸部４ｃと当接して開閉レバー１３をロックレバー７の係合解除を規制する位置に復帰する構成としたものである。
【００２９】
具体構成の例としては、蓋体６の一部に切欠き部６ｃを設け、切欠き部６ｃはロックレバー７の動作を規制解除する位置にある開閉レバー１３が臨むことを可能とし、一方、切欠き部６ｃに対峙する上枠４には凸部４ｃ部を設け、蓋体６が外部操作等により閉時に上枠４の凸部４ｃが切欠き部６ｃより開閉レバー１３と当接し押圧する。この押圧により開閉レバー１３が押し上げられ蓋体６に設けたロック部６ａと開閉レバー１３に設けた係合部１３ｃの係合が解除され、開閉レバー１３は開閉バネ１４によりロックレバー７の動作を規制する位置に自動的に容易に移動するようになっている。
【００３０】
このように、蓋体６の閉時は常に開閉レバー１３が蓋開放つまみ１０の動作を規制する位置にあり、いかなる状態でも不用意に蓋開放つまみ１０を操作し蓋体６が開放するなどの誤操作を防止することができる。
【産業上の利用可能性】
【００３１】
以上のように、本発明にかかる電気湯沸かし器は、蓋体を閉めたときに開閉レバーを蓋開放つまみの動作を規制位置に自動的に移動させ、いかなる状態でも不用意に蓋開放つまみを操作し蓋体が開放するなどの誤操作を防止できるので、蓋体を装備した電気湯沸かし器として有用である。
【図面の簡単な説明】
【００３２】
【図１】本発明の実施の形態１における電気湯沸かし器の断面図
【図２】同電気湯沸かし器の要部の断面図
【図３】同電気湯沸かし器の一部を切り欠いて示した平面図
【図４】本発明の実施の形態２における電気湯沸かし器の開閉レバー操作時の状態を示す図２Ａ−Ａ線による断面図
【図５】同開閉レバー係合時の状態を示す断面図
【図６】同電気湯沸かし器の図３Ｂ−Ｂ線による断面図
【図７】本発明の実施の形態３における電気湯沸かし器の要部の断面図
【符号の説明】
【００３３】
１  ボデー
２  液体
３  容器
４  上枠
４ｃ  凸部
５  加熱手段
６  蓋体
７  ロックレバー
１０  蓋開放つまみ
１３  開閉レバー
１３ｄ  突起部
１４  開閉バネ
【図１】
2005160922.tif 000003
【図２】
2005160922.tif 000004
【図３】
2005160922.tif 000005
【図４】
2005160922.tif 000006
【図５】
2005160922.tif 000007
【図６】
2005160922.tif 000008
【図７】
2005160922.tif 000009